(57)【要約】【課題】判定部をエンボスホログラムで形成する際に、製造時間の短縮が困難である点、エンボス型の製造時の工程数が多く、判定部のパターンの変更が困難な点を解消可能な真偽判定用媒体を提供することである。【解決手段】基材２上に配向膜３、光選択反射パターン層４、光反転パターン層５および光選択反射層６を積層して真偽判定用媒体１とすることにより課題を解決することができた。光選択反射パターン層４と光選択反射層６を積層する順序は逆順でもよく、基材２の表裏に分けてもよい。また、光反転パターン層５の積層位置も任意である。【選択図】        図１
2005096177.tif 000002
【特許請求の範囲】
【請求項１】
入射光のうち左円偏光もしくは右円偏光のいずれか一方を反射する光選択反射性を有する第１の光選択反射層がパターン状とされた光選択反射パターン層、前記第１の光選択反射層とは異なる第２の光選択反射層、および入射光の回転方向が反転する光反転層がパターン状とされた光反転パターン層とが、基材に積層されていることを特徴とする真偽判定用媒体。
【請求項２】
前記第１および第２の光選択反射層を構成する素材がコレステリック液晶であり、前記光反転パターン層を構成する素材がネマチック液晶もしくはスメクチック液晶であることを特徴とする請求項１記載の真偽判定用媒体。
【請求項３】
前記基材が透明であり、前記基材の観察側に前記光選択反射パターン層および前記第２の光選択反射層がこの順に積層されていることを特徴とする請求項１または請求項２記載の真偽判定用媒体。
【請求項４】
前記基材が透明であり、前記基材の観察側に前記第２の光選択反射層および前記光選択反射パターン層がこの順に積層されていることを特徴とする請求項１または請求項２記載の真偽判定用媒体。
【請求項５】
前記基材が透明であり、前記基材の観察側に前記第２の光選択反射層、前記基材の背面側に前記光選択反射パターン層が積層されていることを特徴とする請求項１または請求項２記載の真偽判定用媒体。
【請求項６】
前記光反転パターン層は、前記光選択反射層の観察側、前記光選択反射層と前記基材の間、もしくは前記基材の背面側に積層されていることを特徴とする請求項３〜請求項６いずれか記載の真偽判定用媒体。
【請求項７】
請求項１〜請求項６いずれか記載の真偽判定用媒体にさらに接着剤層が積層されていることを特徴とする真偽判定用媒体ラベル。
【請求項８】
請求項１〜請求項６いずれか記載の真偽判定用媒体が剥離性基材の剥離性面に積層されていることを特徴とする真偽判定用媒体転写シート。
【請求項９】
請求項１〜請求項６いずれか記載の真偽判定用媒体を、シートの一部に可視可能に有することを特徴とする真偽判定可能なシート。
【請求項１０】
請求項１〜請求項６いずれか記載の真偽判定用媒体が、真偽判定対象である情報記録体の表面に積層されているか、もしくは前記情報記録体の一部に可視可能に有することを特徴とする真偽判定可能な情報記録体。
【発明の詳細な説明】
【技術分野】
【０００１】
本発明は、不正な意図に基づく偽造や改ざん等により得られたものとの区別を可能にした真偽判定用媒体に関する。また、本発明は、そのような真偽判定用媒体を物品に適用するのに適するラベルの形態や転写シートの形態に加工したものにも関する。さらに本発明は、真偽判定用媒体を適用したシートや情報記録体にも関する。
【背景技術】
【０００２】
例えば、クレジットカード、預貯金用カード、各種金券、もしくは身分証明書等は、偽造されたり改ざんされて不正に使用されるといろいろな支障を招くので、偽造や改ざんによる損害を防止するために、そのものの真正性を識別できる機能を有することが望まれる。また、例えば、腕時計、皮革製品、貴金属製品もしくは宝飾品等の高級品、とりわけ、高級ブランド品と言われるもの、オーディオ製品、電化製品、または媒体に記録された音楽ソフト、映像ソフト、ゲームソフト、もしくはコンピュータソフトも、やはり偽造の対象となるので、同様に、真正性を識別できる機能を有することが望まれる。
【０００３】
従来、上記の物品も含めた種々の物品の真正性の識別を可能にする目的で、ホログラムが多用されている。ホログラムは、その構造の精密さから、製造上の困難性を有するからである。しかし、ホログラムの製造方法は専門家には知られており、また、精密なものであるだけに、真正なホログラムと偽造されたホログラムとの区別はなかなかに困難である。
【０００４】
そこで、ホログラムに代るものとして、基材と、基材の一方の面に形成され、入射した光のうち、左回り偏光又は右回り偏光のいずれか一方の光のみを反射する光選択反射層と光選択反射層の少なくとも一部に形成され、新製品を判定する判定情報を備える判定部とを有する真偽判定体が提案された（例えば、特許文献１参照。）。
【特許文献１】特開２０００−２５３７３号公報（第３−５頁、図１）。
【０００５】
特許文献１記載の真偽判定体においては、判定部は依然としてエンボスホログラムで形成されており、判定部として精密なパターンの形成が可能であるものの、エンボス型に刻まれたホログラムの凹凸を充分に再現する意味で、エンボス型とエンボスされる材料との接触時間を充分に長くする必要があり、製造時間の短縮が困難である上、エンボス型自体の製造プロセスも工程数が多いため、判定部のパターンの変更が困難となる不利も有している。
【発明の開示】
【発明が解決しようとする課題】
【０００６】
本発明の課題は、判定部の形成をエンボスホログラムで形成する際に、製造時間の短縮が困難である点、エンボス型の製造時の工程数が多く、判定部のパターンの変更が困難な点を解消可能な真偽判定用媒体を提供することである。
【課題を解決するための手段】
【０００７】
上記の本発明の課題は、コレステリック液晶で構成された光選択反射パターン層、コレステリック液晶で構成され、配向性が低下した部分を有する光選択反射層、およびネマチック液晶等で構成された光反転パターン層を、基材に積層することにより解決し得ることが判明したので、これに基づいて本発明に到達することができた。
【０００８】
課題を解決する第１の発明は、入射光のうち左円偏光もしくは右円偏光のいずれか一方を反射する光選択反射性を有する第１の光選択反射層がパターン状とされた光選択反射パターン層、前記第１の光選択反射層とは異なる第２の光選択反射層、および入射光の回転方向が反転する光反転層がパターン状とされた光反転パターン層とが、基材に積層されていることを特徴とする真偽判定用媒体に関するものである。
【０００９】
また、第２の発明は、第１の発明において、前記第１および第２の光選択反射層を構成する素材がコレステリック液晶であり、前記光反転パターン層を構成する素材がネマチック液晶もしくはスメクチック液晶であることを特徴とする真偽判定用媒体に関するものである。
【００１０】
第３の発明は、第１または第２の発明において、前記基材が透明であり、前記基材の観察側に前記光選択反射パターン層および前記第２の光選択反射層がこの順に積層されていることを特徴とする真偽判定用媒体に関するものである。
【００１１】
第４の発明は、第１または第２の発明において、前記基材が透明であり、前記基材の観察側に前記第２の光選択反射層および前記光選択反射パターン層がこの順に積層されていることを特徴とする真偽判定用媒体に関するものである。
【００１２】
第５の発明は、第１または第２の発明において、前記基材が透明であり、前記基材の観察側に前記第２の光選択反射層、前記基材の背面側に前記光選択反射パターン層が積層されていることを特徴とする真偽判定用媒体に関するものである。
【００１３】
第６の発明は、第３〜第６いずれかの発明において、前記光反転パターン層は、前記光選択反射層の観察側、前記光選択反射層と前記基材の間、もしくは前記基材の背面側に積層されていることを特徴とする真偽判定用媒体に関するものである。
【００１４】
第７の発明において、第１〜第６いずれかの発明の真偽判定用媒体にさらに接着剤層が積層されていることを特徴とする真偽判定用媒体ラベルに関するものである。
【００１５】
第８の発明は、第１〜第６いずれかの発明の真偽判定用媒体が剥離性基材の剥離性面に積層されていることを特徴とする真偽判定用媒体転写シートに関するものである。
【００１６】
第９の発明は、第１〜第６いずれかの発明の真偽判定用媒体が剥離性基材の剥離性面に積層されていることを特徴とする真偽判定用媒体転写シートに関するものである。
【００１７】
第９の発明は、第１〜第６いずれかの発明の真偽判定用媒を、シートの一部に可視可能に有することを特徴とする真偽判定可能なシート。
【００１８】
第１０の発明は、第１〜第６いずれかの発明の真偽判定用媒体が、真偽判定対象である情報記録体の表面に積層されているか、もしくは前記情報記録体の一部に可視可能に有することを特徴とする真偽判定可能な情報記録体に関するものである。
【発明の効果】
【００１９】
第１の発明によれば、光選択反射層および光選択反射パターン層は通常の状態で視認可能であるが、光反転パターン層は通常の状態では潜像となっており、右円偏光もしくは左円偏光を照射することにより、光選択反射層および光選択反射パターン層、または光反転パターン層のいずれかが可視化され、しかも、光選択反射パターン層および光反転パターン層の形成は、例えば、印刷等により容易に行なえるので、製造時の工程数が多くなる事が無く、パターンの変更も容易な真偽判定用媒体を提供することができる。
【００２０】
第２の発明によれば、第１の発明の効果に加え、光選択反射層および光選択反射パターン層がコレステリック液晶により、また、光反転パターン層はネマチック液晶もしくはスメクチック液晶で構成されているので、コレステリック液晶、またはネマチック液晶もしくはスメクチック液晶を含む組成物を用いての形成が容易な真偽判定用媒体を提供することができる。
【００２１】
第３の発明によれば、第１または第２の発明の効果に加え、基材の片面にのみ各層を積層することにより製造でき、また光選択反射層が最上層となることから、通常の照明下では光選択反射パターン層を見え難くすることが可能で、製造しやすい利点を有する真偽判定用媒体を提供することができる。
【００２２】
第４の発明によれば、第１または第２の発明の効果に加え、基材の片面にのみ各層を積層することにより製造でき、製造しやすい利点を有する真偽判定用媒体を提供することができる。
【００２３】
第５の発明によれば、第１または第２の発明の効果に加え、光選択反射層と光選択反射パターン層が基材をはさんで積層されているので、ぞれぞれの形成の際に互いに影響を及ぼすことを少なくして製造可能な真偽判定用媒体を提供することができる。
【００２４】
第６の発明によれば、第３〜第６いずれかの発明の効果に加え、光反転パターン層の積層位置を、そのほかの各層の積層構造によらずに決めることが可能な真偽判定用媒体を提供することができる。
【００２５】
第７の発明によれば、第１〜第６いずれかの発明の効果を発揮し得る真偽判定用媒体を接着剤層を利用して容易に物品に適用可能な真偽判定用媒体ラベルを提供することができる。
【００２６】
第８の発明によれば、第１〜第６いずれかの発明の効果を発揮し得る真偽判定用媒体が転写可能に構成されているので、容易に物品に適用可能な真偽判定用媒体転写シートを提供することができる。
【００２７】
第９の発明によれば、第１〜第６いずれかの発明の真偽判定用媒体が適用されているので、付加される情報の真偽判定を可能とする、真偽判定可能なシートを提供することができる。
【００２８】
第１０の発明によれば、第１〜第６いずれかの発明の真偽判定用媒体が適用されているので、自身の真偽判定を可能とする、真偽判定可能な情報記録体を提供することができる。
【発明を実施するための最良の形態】
【００２９】
図１（ａ）に例示するように、本発明の真偽判定用媒体１は、基材２の観察側、図中の上面に配向膜３が積層され、配向膜３の上面に、入射光の回転方向が反転する光反転パターン層５および、入射光のうち左円偏光もしくは右円偏光のいずれか一方を反射する光選択反射性を有する層がパターン状とされた光選択反射パターン層４の二種類のパターン層５および４が積層され、これら二種類のパターン層５および４の上面に、光選択反射性を有する、光選択反射パターン層４とは別の光選択反射層６が積層された積層構造を有するものである。この積層構造のものは、基材２の片面にのみ、各層を順次積層することにより製造できるので、製造しやすい利点を有する。また、このように、光選択反射パターン層４上に光選択反射層が積層されている積層構造のものは、通常の照明下では、光選択反射パターン層４が見え難くなる利点も有する。
【００３０】
図１（ｂ）に例示するように、本発明の真偽判定用媒体１は、基材２の図中の上面に配向膜３が積層され、配向膜３の上面に、光選択反射パターン層４、光選択反射層６、および光反転パターン層５がこの記載順に積層された積層構造を有するものであってもよい。この積層構造のものは、光選択反射パターン層４を共通のパターンとし、光選択反射層６まで形成したものを一旦製造しておき、その後、反転パターン層５として種々のパターンを形成するのに適している利点を有する。
【００３１】
図１（ｃ）に例示するように、本発明の真偽判定用媒体１は、基材２の図中の上面に配向膜３が積層され、配向膜３の上面に、光選択反射パターン層４および光選択反射層６がこの記載順に積層され、基材２の図中の下面、即ち、層４および６が積層されない側の面に反転パターン層５が積層された積層構造を有するものであってもよい。この積層構造のものも、光選択反射パターン層４を共通のパターンとし、光反転パターン層５として種々のパターンを形成するのに適している。また、この積層構造のものは、光反転パターン層５の形成と光選択反射パターン層４および光選択反射層６の形成とを、互いに影響を及ぼすことを排除して行なえる利点も有する。
【００３２】
図１（ａ）、（ｂ）および（ｃ）を引用して説明した各例においては、基材２、配向膜３、光選択反射パターン層４、および光選択反射層６の各層がこの順に記載された積層構造の、（１）配向膜３の上面、即ち、配向膜３と光選択反射層６の間、（２）光選択反射層６の上面、もしくは（３）基材２の下面のいずれかに光反転パターン層５が積層されたものである。本発明の真偽判定用媒体１は、光選択反射パターン層４および光選択反射層６とが、基材２および配向膜３に対し、上記以外の積層構造を有していてもよく、そのような場合においても、光反転パターン層５は、（１）配向膜３の上面、（２）光選択反射層６の上面、もしくは（３）基材２の下面のいずれかに積層される。
【００３３】
図２（ａ）、（ｂ）および（ｃ）に示すように、本発明の真偽判定用媒体１は、基材２、配向膜３、光選択反射パターン層４、および光選択反射層６の各層がこの順に記載された積層構造を有するものであってもよく、光反転パターン層５は、（１）配向膜３の上面、即ち、配向膜３と光選択反射層６の間（図２（ａ））、（２）光選択反射層６の上面（図２（ｂ））、もしくは（３）基材２の下面（図２（ｃ））のいずれかに積層される。
【００３４】
また、図３（ａ）、（ｂ）および（ｃ）に示すように、本発明の真偽判定用媒体１は、基材２の上面に配向膜３、および光選択反射層６の各層がこの順に記載され、基材２の下面に光選択反射パターン層４が積層された積層構造を有するものであってもよく、この場合も、光反転パターン層５は、（１）配向膜３の上面、即ち、配向膜３と光選択反射層６の間（図３（ａ））、（２）光選択反射層６の上面（図３（ｂ））、もしくは（３）基材２の下面（図３（ｃ））のいずれかに積層される。
【００３５】
本発明の真偽判定用媒体１は、本来的には、入射光のうち左円偏光もしくは右円偏光のいずれか一方を反射する光選択反射性を有する層がパターン状とされた光選択反射パターン層４、層４とは別の光選択反射層６、および入射光の回転方向が反転する光反転パターン層５の三種類の層が互いに積層されたものであればよいが、これらの各層を支持するための基材２を伴なっていることがより好ましいものである。ここで、基材２が透明であるかどうかであるが、図１（ａ）および（ｂ）、並びに図２（ａ）および（ｂ）を引用して説明したように、基材２の片面に各層がいずれも積層されている場合には、基材２は必ずしも透明であることを要しないが、これら以外の図を引用して説明した積層構造の場合には、各層が基材２をはさんで積層されているので、すべての層が一方から見えるようにするには、基材２として透明なものを用いることが好ましく、結局、各層は基材２に可視可能に積層されていることが好ましい。
【００３６】
上記各例において、光選択反射パターン層４および光選択反射層６は、入射光のうち、左円偏光もしくは右円偏光のいずれか一方を反射する光選択反射性を有する素材からなる層であり、例えばコレステリック液晶層からなるものであって、層４と層６とは、互いに層の厚みもしくは液晶のらせんピッチを異にし、色の異なるものであることが好ましい。また、光反転パターン層５は、ネマチック液晶層もしくはスメクチック液晶層からなっており、いずれも透明な層である。
【００３７】
また、上記各例のいずれにおいても、基材２としては別の配向膜３を必要とするものを示したが、延伸したプラスチックシートを基材２とするときには、もともと表面が配向性を有しているので、配向膜３の積層を省くことができる。
【００３８】
基材２としては、厚みを薄くすることが可能であって、機械的強度や真偽判定用媒体を製造する際の加工に耐える耐溶剤性および耐熱性を有するものが好ましい。使用目的にもよるので、限定されるものではないが、フィルム状もしくはシート状のプラスチックが好ましい。例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
【００３９】
配向膜３は、ポリビニルアルコール樹脂（ＰＶＡ）、ポリイミド樹脂等の一般に配向膜として使用し得るものであれば、いずれでもよい。配向膜３は、これらの樹脂の溶剤溶液を、上記のような基材２の表面に適宜な塗布法により塗布し、乾燥させた後に、布、ブラシ等を用いて摩擦するラビングを行なって形成する。
【００４０】
光選択反射パターン層４は、コレステリック液晶層からなる。配向状態にあるコレステリック液晶層は、入射した光のうち、左円偏光もしくは右円偏光のいずれか一方のみを反射する性質を有している。光選択反射パターン層４は、コレステリック液晶の溶剤溶液を各種の印刷法によって適用し、乾燥させることにより形成することができ、あるいは、このとき、重合性のコレステリック液晶を用いて紫外線重合性組成物を調製し、得られた紫外線重合性組成物を各種の印刷法によって適用し、乾燥後に、紫外線を照射して重合させて形成することもできる。
【００４１】
光反転パターン層５は、ネマチック液晶もしくはスメクチック液晶を用いて構成されたもので、これらの液晶を含むインキ組成物、好ましくはこれらの液晶の溶剤溶液からなるインキ組成物を用いた各種印刷法により形成することができ、自身が配向性を有する基材２、配向膜３、もしくは光選択反射層６に積層形成する。
【００４２】
光選択反射層６も光選択反射パターン層４と同様に、コレステリック液晶層からなり、コレステリック液晶の溶剤溶液を各種の塗布法によって適用し、乾燥させることにより形成することができ、あるいは、このとき、重合性のコレステリック液晶を用いて紫外線重合性組成物を調製し、得られた紫外線重合性組成物を各種の塗布法によって適用し、乾燥後に、紫外線を照射して重合させて形成することもできる。なお、光選択反射パターン層４と光選択反射層６とは、層の厚みが異なるよう構成するか、もしくはらせんピッチが異なるものを用いて構成することが好ましく、このように構成された両層のいずれもが光を反射する場合においても、色相の差により、光選択反射パターン層４のパターンの視認性が高まる。
【００４３】
図１〜図３を引用して説明した真偽判定用媒体１を用いて行なう真偽判定の方法を説明する。本発明の真偽判定用媒体１は、図４（ａ）に示すように光反転パターン層５によって形成された文字「Ａ」であるパターン２１、光選択反射パターン層４によって形成された地紋２２、および、いずれのパターンも無い無地部分２３とからなり、無地部分２３は、両パターン４および５が積層されている箇所も含めて積層された光選択反射層６からなるものである。ただし、図４（ａ）は自然光下で観察したときの外観を示し、このとき、パターン２１は視認できない潜像であるが、地紋２２は視認可能である。なお、ここで、光選択反射パターン層４および光選択反射層６は、いずれも右円偏光を反射するものであるとする。
【００４４】
まず、光選択反射層６上に右円偏光板を重ねると、いずれのパターンも無い無地部分２３上では反射が起き、しかも光選択反射層６を構成するコレステリック液晶のらせんピッチに基づいて発色した無地部分２３’を与える。また、このとき、地紋２２の部分においても反射が起き、しかも地紋２２は、無地部分２３とは、好ましくは異なる厚みもしくは異なるらせんピッチのコレステリック液晶で構成されているので、いずれのパターンも無い無地部分２３とは異なる反射性および発色状態となり、結果として顕像化された地紋２２’を与える。一方、文字「Ａ」であるパターン２１の部分においては、入射光の回転方向が反転し、反射光が観察されないから、文字「Ａ」は視認出来ない無発色のパターン２１’である。
【００４５】
次に、右円偏光板を除いて左円偏光板を重ねると、地紋部分２２および無地部分２３では、左円偏光が入射するので、反射が起きず、従って、いずれも視認できない無発色の地紋部分２２‘および無発色の無地部分２３’を与えるが、文字「Ａ」であるパターン２１の部分においては、入射光の回転方向が反転するために反射が起き、文字「Ａ」は視認可能な発色したパターン２１”となる。
【００４６】
従って、本発明の真偽判定用媒体１は、右円偏光および左円偏光をそれぞれ別に入射させることにより、異なった反射性を示し、観察者から見れば、異なった見え方となるから、予め、真正なものの見え方を確認しておくか、右円偏光および左円偏光のそれぞれを、真正なものと真偽を判定すべきものの両方に入射して、反射性もしくは見え方を比較することにより、真偽判定を行なうことができる。なお、右円偏光もしくは左円偏光を光選択反射層６側に入射して観察することは、上記のように、単に、右円偏光板もしくは左円偏光板を光選択反射層６側に重ねて観察することによってもよい。
【００４７】
図１〜図３を引用して説明した本発明の真偽判定用媒体１は、図４を引用して次に説明するように、ラベルや転写シートの形態に加工することにより、真偽判定用媒体１を適用すべき種々の物品に対する適用を容易とすることができる。
【００４８】
図５（ａ）は、ラベルの形態に関するもので、図示の例のものは、基材２、配向膜３、光選択反射パターン層４および光反転パターン層５、並びに光選択反射層６が順に積層した積層構造からなる真偽判定用媒体１（図１（ａ）のもの）の基材２側に接着剤層１２を積層して真偽判定用媒体ラベル１１を構成したものである。真偽判定用媒体ラベル１１を構成するための真偽判定用媒体１としては、上記の積層構造のものに限らず、図１〜図３を引用して説明した他の積層構造のもの、またはそれらから配向膜３を省いた積層構造のものであってもよい。
【００４９】
図５（ａ）を引用した上記説明においては、基材２側に接着剤層１２が積層されているが、光選択反射層６側に接着剤層が積層されていてもよく、いずれの側に接着剤層を積層するかは、種々の物品にラベルを適用したときに、基材２側もしくは光選択反射層６側のいずれが入射面になるかによって決める。なお、接着剤層１２は、種々のタイプの接着剤層であり得るが、感熱接着剤層もしくは粘着剤層であることが好ましい。図１〜図３を引用して説明した他の積層構造のもので真偽判定用媒体ラベル１１を構成する際も同様である。
【００５０】
図５（ｂ）は、転写シートの形態に関するもので、図示の例のものは、基材２、配向膜３、光選択反射パターン層４および光反転パターン層５、並びに光選択反射層６が順に積層した積層構造からなる真偽判定用媒体１（図１（ａ）のもの）の基材２側に接着剤層１２を積層し、光選択反射層６側に剥離性基材１４の剥離性面１４ａ側を積層して真偽判定用媒体転写シート１３を構成したものである。真偽判定用媒体転写シート１３を構成するための真偽判定用媒体１としては、上記の積層構造のものに限らず、図１〜図３を引用して説明した他の積層構造、またはそれらから配向膜３を省いた積層構造のものであってよい。
【００５１】
真偽判定用媒体転写シート１２の場合も、接着剤層を積層する側をいずれにするかは、
種々の物品に転写シートを適用したときに、基材２側もしくは光選択反射層６側のいずれが入射面になるかによって決め、接着剤層が積層されない側に剥離性基材２を積層する。やはり、接着剤層１２は、種々のタイプの接着剤層であり得るが、感熱接着剤層もしくは粘着剤層であることが好ましい。図１〜図３を引用して説明した他の積層構造のもので真偽判定用媒体転写シート１３を構成する際も同様である。なお、接着剤層は、真偽判定用媒体１を適用すべき種々の物品の表面に適用することとし、転写シートとしては接着剤層の無いものを構成してもよい。
【００５２】
本発明の真偽判定用媒体１は、好ましくは、上記のような真偽判定用媒体ラベル１１の形態のもの、もしくは真偽判定用媒体転写シート１３の形態のものを用いて、種々の物品に適用することができる。真偽判定用媒体ラベル１１の形態のものは、接着剤層１２を被着体となる物品側に向けて貼り付けることにより適用し、また、真偽判定用媒体転写シート１３の形態のものは、接着剤層１２を被着体となる物品側に向けて接着させた後、剥離性基材１４を剥離することにより適用する。
【００５３】
図６は、主にシート状物を対象とした真偽判定用媒体１の適用について説明するための図である。図６（ａ）に示すものは、情報記録体１６の表面の一部に真偽判定用媒体１が積層されて構成された、真偽判定可能な情報記録体１５である。情報記録体１６は紙やプラスチックシート等を基材とするシート状物で、図示の例では、金券として利用するための金額、発行会社名、注意書等の文字、もしくは彩紋等の情報１７が、印刷等の手段により形成され記録されたものである。
【００５４】
図６（ｂ）に示すものは、真偽判定用媒体１をシート状物に予め内蔵させ、視認可能に構成したもので、紙やプラスチックシート等に貫通孔とはならない凹部状の開口部１９を形成し、開口部１９から真偽判定用媒体１が見えるよう構成したもので、真偽判定用媒体１は適用を容易にするため、一例として０．５ｍｍ〜５ｍｍ程度のごく狭い幅の図中縦長のスレッド状に裁断されており、紙の場合であれば、紙を構成する数層を積層する際に、表層を構成する層には開口部１９を設けておき、シート状物の層間にスレッド状の真偽判定用媒体１をはさむ等して適用することにより形成されたものである。スレッド状の真偽判定用媒体１には、必要に応じて、円偏光照射時の視認性を高める目的で基材の片面等に暗色系等の着色を行ない、また、シート状物に内蔵させた状態における、スレッド状の真偽判定用媒体１とシート状物との接着性を確保するために、片面もしくは両面に接着剤層、好ましくは感熱接着剤層を積層しておくとよい。このようなシート状物に真偽判定用媒体１を適用したものは、情報記録体、特に金券やその他の経済的価値を有する印刷物に利用するのに適している。
【実施例１】
【００５５】
ＴＡＣフィルムを準備し、その表面にＰＶＡ溶液（（株）クラレ製のＰＶＡ樹脂、品番；「１１０」、２％水溶液（透明）として使用。）を塗布し乾燥させた後に、ラビング処理を行なって配向膜を形成した。形成された配向膜上に、重合性ネマチック液晶溶液および重合性コレステリック液晶溶液をそれぞれ用い、グラビア印刷により、文字および図柄からなる異なる二種類のパターン（ネマチック液晶パターンおよびコレステリック液晶パターン）の印刷を行なった。重合性ネマチック液晶溶液は、重合性のネマチック液晶（ＢＡＳＦ（株）製、商品名；「パリオカラーＬＣ２４２」）および紫外線重合開始剤を配合したものの４０％溶液（溶剤はトルエンである。）であり、重合性コレステリック液晶溶液は、重合性のネマチック液晶（ＢＡＳＦ（株）製、商品名；「パリオカラーＬＣ２４２」）、カイラル剤（ＢＡＳＦ（株）製、商品名；「パリオカラーＬＣ７５６」）および紫外線重合開始剤を配合したものの４０％溶液（溶剤はトルエンである。）である。いずれも印刷して乾燥させた後、紫外線を照射して硬化させた。なお、形成されたコレステリック液晶パターン層は、右円偏光を反射するものである。
【００５６】
形成された二種類のパターン上に、重合性コレステリック液晶溶液を用いてグラビアコーティングを行ない、乾燥させた後、紫外線を照射することにより、コレステリック液晶層を形成し、真偽判定用媒体を得た。ここでグラビアコーティングに用いた重合性コレステリック液晶溶液は、重合性のネマチック液晶（ＢＡＳＦ（株）製、商品名；「パリオカラーＬＣ２４２」）、カイラル剤（ＢＡＳＦ（株）製、商品名；「パリオカラーＬＣ７５６」）および紫外線重合開始剤を配合したものの１５％溶液（溶剤はトルエンである。）であり、ネマチック液晶とカイラル剤の配合比を、パターンの印刷用のものとは異なるように調製した。形成されたコレステリック液晶層は、右円偏光を反射するものである。なお、前段落で印刷に用いた重合性コレステリック液晶溶液、およびこの段落においてコーティングに用いた重合性コレステリック液晶溶液のいずれも、重合性のネマチック液晶／カイラル剤の配合比は９５．５／４．５であり、紫外線重合開始剤は重合性のネマチック液晶に対して５％を配合したものである。
【実施例２】
【００５７】
実施例１におけるのと同様な素材、印刷、コーティングにより、ＴＡＣフィルムの片面に配向膜を形成した後、配向膜上に、印刷を行なわずに、コレステリック液晶層を形成し、形成後、コレステリック液晶層上にはコレステリック液晶パターンの印刷を行ない、また、ＴＡＣフィルムの露出面側には、コレステリック液晶パターンとは異なる文字および図柄からなるネマチック液晶パターンの印刷を行なって、真偽判定用媒体を得た。
【実施例３】
【００５８】
実施例１におけるのと同様な素材、印刷、コーティングにより、ＴＡＣフィルムの片面に配向膜を形成した後、配向膜上に、印刷を行なわずに、コレステリック液晶層を形成し、形成後、ＴＡＣフィルムの露出面側に、文字および図柄からなる異なる二種類のパターン、即ち、ネマチック液晶パターンおよびコレステリック液晶パターンの印刷を行なって、真偽判定用媒体を得た。
【００５９】
実施例１で得られた真偽判定用媒体のコーティングを施した側に、右円偏光板を重ねると、コレステリック液晶層およびコレステリック液晶パターンにおいて反射が生じ、しかも、各々の色が異なることにより、コレステリック液晶パターンに基づくパターンを視認することができ、このとき、ネマチック液晶パターンに相当する部分には、パターンは認められなかった。
【００６０】
次に、右円偏光板を取り除き、左円偏光板を重ねると、ネマチック液晶パターンに相当する部分においては反射が生じ、発色したパターンが認められたが、コレステリック液晶層およびコレステリック液晶パターンにおいては反射が生じないため、これらに基づくパターンは認められなかった。以上のように、右円偏光板および左円偏光板を用いることにより、真偽の判定が可能であった。
【００６１】
実施例２および実施例３で得られた真偽判定用媒体についても、光反転パターン層側から、実施例１におけるのと同様、右円偏光板および左円偏光板を用いることにより、真偽の判定が可能であった。
【図面の簡単な説明】
【００６２】
【図１】光選択反射パターン層、光選択反射層の順に積層した真偽判定用媒体を示す図である。
【図２】光選択反射層、光選択反射パターン層の順に積層した真偽判定用媒体を示す図である。
【図３】光選択反射層と光選択反射パターン層を基材の表裏に分けて積層した真偽判定用媒体を示す図である。
【図４】本発明の真偽判定用媒体を用いた真偽の判定方法を示す図である。
【図５】本発明の真偽判定用媒体を種々の物品に適用するのに適したラベルおよび転写シートを示す図である。
【図６】本発明の真偽判定用媒体の適用例を示す図である。
【符号の説明】
【００６３】
１……真偽判定用媒体
２……基材
３……配向膜
４……光選択反射パターン層
５……光反転パターン層
６……光選択反射層
１１……真偽判定用媒体ラベル
１３……真偽判定用媒体転写シート
１５……真偽判定可能な情報記録体
１８……真偽判定可能なシート
２１……パターン
２２……地紋
２３……無地部分
【図１】
2005096177.tif 000003
【図２】
2005096177.tif 000004
【図３】
2005096177.tif 000005
【図４】
2005096177.tif 000006
【図５】
2005096177.tif 000007
【図６】
2005096177.tif 000008